(57)【要約】【課題】光透過性反射層を有する表示装置を提供する。【解決手段】表示装置１は、ディスプレイ１１と、光透過性反射層１２とを備える。ディスプレイ１１は、透明基板１１１を有し、光透過性反射層１２は、透明基板１１１の一側面に形成される。これにより、表示装置１は、ディスプレイ１１が発光して映像を表示しないときは、ミラーと同様に映像を反射することができる。【選択図】図１
2004287438.tif 000002
【特許請求の範囲】
【請求項１】
透明基板を有するディスプレイと、透明基板の一側面に形成される光透過性反射層と、を備えることを特徴とする表示装置。
【請求項２】
前記透明基板は、第１表面と、前記第１表面に対向する第２表面と、を具備することを特徴とする請求項１に記載の表示装置。
【請求項３】
前記光透過性反射層は、前記透明基板の前記第１表面に形成されることを特徴とする請求項２に記載の表示装置。
【請求項４】
前記光透過性反射層は、前記透明基板の前記第２表面に形成されることを特徴とする請求項２に記載の表示装置。
【請求項５】
前記透明基板は、可撓性基板または剛性基板であることを特徴とする請求項１に記載の表示装置。
【請求項６】
前記透明基板は、プラスチック基板またはガラス基板であることを特徴とする請求項１に記載の表示装置。
【請求項７】
前記光透過性反射層は、金属であることを特徴とする請求項１に記載の表示装置。
【請求項８】
前記光透過性反射層は、誘電材料であることを特徴とする請求項１に記載の表示装置。
【請求項９】
前記光透過性反射層は、光透過率が１０％〜９０％であることを特徴とする請求項１に記載の表示装置。
【請求項１０】
前記ディスプレイは、有機エレクトロルミネセンスディスプレイであることを特徴とする請求項１に記載の表示装置。
【請求項１１】
前記ディスプレイは、無機エレクトロルミネセンスディスプレイであることを特徴とする請求項１に記載の表示装置。
【請求項１２】
前記ディスプレイは、発光ダイオードディスプレイであることを特徴とする請求項１に記載の表示装置。
【発明の詳細な説明】
【技術分野】
【０００１】
本発明は、表示装置に関し、特にミラー機能を備えた表示装置に関する。
【背景技術】
【０００２】
表示装置は、適用範囲の拡大及び転送情報内容の増加と伴い、その技術及び形式が日増しに多様化するようになっている。初期の白黒単色からカラー、そして未来の立体表示まで、陰極線管からパネル表示装置、携帯式や折り畳み式ないし大型画面表示等の方式まで、表示装置の研究開発は、よりユーザーに密着し、日常生活に溶け込む傾向にある。
【０００３】
実用性について、表示装置に反射ミラーの効果を加えれば、表示装置の適用範囲を拡大するため、表示装置のスクリーンに反射薄膜を貼り付けることにより、表示装置に映像表示と映像反射の二重機能を備えた技術が開示されていた。
【発明の開示】
【発明が解決しようとする課題】
【０００４】
しかし、反射薄膜は、反射率と光透過率とが反比例の関係にあるため、反射薄膜が貼り付けられた表示画面の輝度が低下してしまう。さらに、反射薄膜は、一般に接着剤によりスクリーンに貼り付けられ、接着剤の使用寿命に限界があるため、長期使用に耐えない。
【０００５】
本発明は、上記の問題に鑑みてなされたものであり、従来技術の欠点を解決し、映像を反射するミラー機能を備えた表示装置を提供することを目的とする。
【課題を解決するための手段】
【０００６】
上記目的を達成するために、本発明による表示装置は、透明基板を有するディスプレイと、前記透明基板の一側面に形成された光透過性反射層とを備える。
【発明の効果】
【０００７】
本発明による表示装置は、光透過性反射層がディスプレイの透明基板の一側面に形成されることにより、ディスプレイが発光するときには、映像を表示することができるが、ディスプレイが発光しないときには、ミラーと同様に映像を反射することができる。すなわち、本発明は、ディスプレイの平面型構成に光透過性反射層を加えることにより、表示装置に映像表示と映像反射の二重機能を備えさせるため、表示装置の適用範囲を拡大すると同時に、ユーザーの操作上の便利性も高められる。また、光透過性反射層が表示装置に形成されるため、製造工程が簡単で、しかも全体コストも高くないので、商品化に適する。
【発明を実施するための最良の形態】
【０００８】
以下、図面を参照しながら、本発明の好適な実施の形態における表示装置について説明する。
【０００９】
本発明による表示装置１は、ディスプレイ１１と、光透過性反射層１２とを備える。ディスプレイ１１は、透明基板１１１を有し、光透過性反射層１２は、透明基板１１１の一側面に形成される。なお、本実施例では、ディスプレイは、例えば、有機エレクトロルミネセンス（有機ＥＬ）ディスプレイである。
【００１０】
図１に示すように、ディスプレイ１１は、透明基板１１１と、第１電極１１２と、有機発光部１１３と、第２電極１１４と、を備える。透明基板１１１は、第１表面１１１１と、第１表面１１１１に対向する第２表面１１１２とを具備する。第１電極１１２は、透明基板１１１の第１表面１１１１上に設けられる。第２電極１１４は、有機発光部１１３上に設けられる。有機発光部１１３は、第１電極１１２と第２電極１１４との間に設けられる。
【００１１】
本実施例では、透明基板１１１は、可撓性基板でもよく、剛性基板でもよい。また、透明基板１１１は、プラスチック基板でもよく、ガラス基板でもよい。そのうち、可撓性基板またはプラスチック基板は、例えば、ポリカーボネート（ＰＣ）基板、ポリエステル（ＰＥＴ）基板、環状オレフィン共重合体（ＣＯＣ）基板、メタロセン基材−環状オレフィン共重合体（ｍＣＯＣ）基板等である。
【００１２】
図１に示すように、第１電極１１２は、透明基板１１１の第１表面１１１１上に設けられる。本実施例では、第１電極１１２は、スパッタリング法またはイオンめっき法により、透明基板１１１上に形成される。ここで、第１電極１１２は、一般に陽極とし、その材料が、透明な導電性の金属酸化物、例えば酸化インジウムスズ（ＩＴＯ）、酸化アルミニウム亜鉛（ＡＺＯ）、酸化インジウム亜鉛（ＩＺＯ）等である。
【００１３】
また、有機発光部１１３は、第１電極１１２上に形成され、一般に正孔注入層と、正孔輸送層と、発光層と、電子輸送層と、電子注入層と、を有する（図示せず）。正孔注入層の材料は、主に銅フタロシアニン化合物（ＣｕＰｃ）である。正孔輸送層の材料は、主に４,４'-ビス[Ｎ-(１-ナフチル)-Ｎ-フェニルアミノ]ビフェニル（ＮＰＢ）である。電子注入層の材料は、主にフッ化リチウム（ＬｉＦ）である。電子輸送層の材料は、主にトリス(８-キノリノラート-Ｎ１,０８)-アルミニウム（Ａｌｑ）である。なお、有機発光部１１３は、蒸着法、スピンコーテイング、インクジェト印刷法や印刷法により、第１電極１１２上に形成される。さらに、有機発光部１１３から放射された光線は、例えば、青光、緑光、赤光、白光等の単色光、または単色光により組成されたカラー光である。
【００１４】
第２電極１１４は、蒸着法やスパッタリング法により、有機発光部１１３上に形成され、その材料は、例えば、アルミニウム（Ａｌ）、カルシウム（Ｃａ）、マグネシウム（Ｍｇ）、シルバー（Ａｇ）等の金属または金属合金である。もちろん、第２電極１１４の材料は、アルミニウム（Ａｌ）／フッ化リチウム（ＬｉＦ）またはシルバー（Ａｇ）でもよい。
【００１５】
本実施例では、光透過性反射層１２は、図１に示すように、透明基板１１１の一側面、すなわち第２表面１１１２に形成されるが、図２に示すように、透明基板１１１の他側面、すなわち第１表面１１１１に形成することもできる。さらに、光透過性反射層１２は、透明基板１１１のそのほかの側面（図示せず）に形成することも可能であり、これにより、ディスプレイ１１が発生した側面光の利用性を高めることができる。
なお、光透過性反射層１２は、蒸着法、スパッタリング法またはオンめっき法により第１表面１１１１または第２表面１１１２に形成される。本実施例では、光透過性反射層１２は、金属または誘電材料であり、その光透過率が１０％〜９０％である。
【００１６】
本実施例では、光透過性反射層１２は、材質が金属である場合、図３に示すように、光透過性反射層１２と第１電極１１２との間に更に絶縁層１３が形成される。絶縁層１３は、光透過可能な物質であって、光透過性反射層１２と第１電極１１２を隔離することにより両者の接触による短路の発生を避ける。
【００１７】
図４は、本発明による表示装置１を具体的に実施する図である。図４に示すように、ディスプレイが発光するときには、ユーザーが目に見えるのは、ディスプレイにより表示された画面、例えば文字、図形または映像である。一方、ディスプレイが発光しないときには、ユーザーが目に見えるのは、表示装置に反射された映像、すなわちユーザー側の背景の反射映像である。例えば、本発明による表示装置をテレビとして室内に配置されると、ミラーとして使用することもできるため、別途にミラーを配置する必要がなく反射ミラーの効果が得られる。これにより、ミラーを購入する費用、空間の無駄なスペースを省くだけでなく、全体空間上の設計にも美観を増す。さらに、有機エレクトロルミネセンスディスプレイには視野角の制限がないため、本発明による表示装置の適用範囲をさらに広げることができる。
【００１８】
なお、本発明によるディスプレイは、有機エレクトロルミネセンスディスプレイに限らず、無機エレクトロルミネセンスディスプレイ、発光ダイオード（ＬＥＤ）ディスプレイ、液晶ディスプレイ（ＬＣＤ）、プラズマディスプレイ（ＰＤＰ）、真空蛍光ディスプレイ（ＶＦＤ）、フィールドエミッションディスプレイ（ＦＥＤ）、またはエレクトロクロミックディスプレイでも可能である。
【００１９】
以上、本発明の実施の形態を図面を参照して詳述してきたが、具体的な構成は、この実施の形態に限られるものではなく、本発明の要旨を逸脱しない範囲の設計変更等があっても、本発明に含まれる。
【図面の簡単な説明】
【００２０】
【図１】本発明による表示装置を示す図である。
【図２】本発明による他の表示装置を示す図である。
【図３】本発明によるさらに他の表示装置を示す図である。
【図４】本発明による表示装置を具体的に実施する図である。
【符号の説明】
【００２１】
１        表示装置
１１      ディスプレイ
１１１    透明基板
１１１１  第１表面
１１１２  第２表面
１１２    第１電極
１１３    有機発光部
１１４    第２電極
１２      光透過性反射層
１３      絶縁層
【図１】
2004287438.tif 000003
【図２】
2004287438.tif 000004
【図３】
2004287438.tif 000005
【図４】
2004287438.tif 000006